(57)【要約】【課題】線材の張設作業が容易であるとともに、ベランダの形状に対応させて有効に線材を張設可能な鳥類侵入防止具を提供すること。【解決手段】上側ガイド（２）と、上側ガイド（２）の下面に装着された、線材貫通孔（３０１）を有する複数個の支持部材（３）と、支持部材（３）における貫通孔（３０１）を貫通することにより、上側ガイド（２）と略並行に前記支持部材（３）に支持されるとともにその一方が固定された線材（４）と、下側ガイド（５）と、下側ガイド（５）の上面に装着された複数個の係止部材（６）とを具備し、線材（４）における支持部材（３）を連通している連通部分（４０１）を一つ置きに下方に引き出すとともに、引き出した連通部分を前記係止部材（６）に係止することにより、上側ガイド（２）と下側ガイド（５）間に線材を張設可能にした。【選択図】図１
2006149243.tif 000002
【特許請求の範囲】
【請求項１】
マンション等のベランダ等の天井部に取り付けられる上側ガイド（２）と、
該上側ガイド（２）の下面に装着された、線材貫通孔（３０１）を有する複数個の支持部材（３）と、
該支持部材（３）における前記貫通孔（３０１）を貫通することにより、前記上側ガイド（２）と略並行に前記支持部材（３）に支持されるとともに、その一方が固定された線材（４）と、
マンション等のベランダ等の手摺部等に取り付けられる下側ガイド（５）と、
該下側ガイド（５）の上面に装着された複数個の係止部材（６）と、を具備して、
前記線材（４）における前記支持部材（３）を連通している連通部分（４０１）を一つ置きに下方に引き出すとともに、該引き出した連通部分（４０１）を前記係止部材（６）に係止することにより、前記上側ガイド（２）と下側ガイド（５）間に線材（４）を張設可能にしたことを特徴とする鳥類侵入防止具。
【請求項２】
前記線材（４）の他方を、引き出し自在に線材収納部（８）に収納したことを特徴とする請求項１に記載の鳥類侵入防止具。
【請求項３】
前記上側ガイド（２）及び下側ガイド（５）に、長手方向に沿って間隔を置いて複数個の切り込み（７）を入れたことを特徴とする請求項１又は請求項２に記載の鳥類侵入防止具。
【請求項４】
マンション等のベランダへの鳥類の侵入を防止する方法であって、
複数個の線材貫通孔（３０１）が備えられた支持部材（３）を下面に有する上側ガイド（２）と、前記支持部材（３）における前記貫通孔（３０１）を貫通することにより、前記上側ガイド（２）と略並行に前記支持部材（３）に支持されるとともにその一方が固定された線材（４）と、複数個の係止部材（６）を上面に有する下側ガイド（５）と、を用いて、
前記上側ガイド（２）をマンション等のベランダ等の天井部（１１）に取り付け、
前記下側ガイド（５）をマンション等のベランダ等の手摺部等（１２）に取り付け、
前記線材（４）における前記支持部材（３）を連通している連通部分（４０１）を一つ置きに下方に引き出すとともに、該引き出した連通部分（４０１）を前記係止部材（６）に係止し、これにより、前記上側ガイド（２）と下側ガイド（５）間に線材を張設可能にすることを特徴とする鳥類侵入防止方法。
【発明の詳細な説明】
【技術分野】
【０００１】
本発明は鳥類侵入防止具及びそれを用いた鳥類侵入防止方法に係り、より詳しくは、面倒な作業を経ることなくマンション等のベランダに線材を張設可能にするとともに、マンション等の形状に適応させて有効に線材を張設可能にした鳥類侵入防止具及びそれを用いた鳥類侵入防止方法に関する。
【背景技術】
【０００２】
従来から、マンション等のベランダへハト等の鳥類が侵入することを防止するものとして各種の鳥類侵入防止具が提供されている。
【０００３】
例えば、図６は従来の鳥類侵入防止具の正面図であり、この従来の鳥類侵入防止具では、少なくとも２本の支柱３２ａ、３２ｂと、この支柱３２ａ、３２ｂの端部に設けた支柱固定部３３ａ、３３ｂ、３３ｃ、３３ｄと、前記支柱３２ａ、３２ｂの長さ方向に間隔を置いて取り付けた複数のフック３４と、前記支柱３２ａ、３２ｂのいずれかに取り付けた線材収納部３５と、線材収納部３５に収納された線材３６とを有しており、ベランダの天井３８と手摺３７間に前記支柱３２ａ、３２ｂを嵌め込み、その後、線材３６を、線材収納部３５より引き出しつつフック３４に係止し、これによりベランダの天井と手摺間に線材を張設可能としている。
【０００４】
そのため、この鳥類侵入防止具を用いることにより、ベランダへの鳥類の侵入を防止することが可能となる。
【特許文献１】特開２００２−１７１８９１号公報
【特許文献１】特開２００１−４５９５６号公報
【発明の開示】
【発明が解決しようとする課題】
【０００５】
しかしながら、前述の鳥類侵入防止具では、各支柱に取り付けたすべてのフックに線材を係止していかなければならず、張設作業が面倒にならざるを得ないという欠点がある。
【０００６】
また、ベランダの中にはマンション等の外側に湾曲状に張り出したものが存在するが、このような場合において、前述の鳥類侵入防止具では、線材は各支柱間を直接状に連通するために、湾曲形状に沿って線材を張設することは不可能であり、そのためにベランダにデッドスペースが生じてしまう。このことは、支柱を３本以上にした場合でも同様である。
【０００７】
更に、鳥類侵入防止具の中には、ベランダの天井部と手摺部間にネットを張る方法も提供されているが（特開２００１−４５９５６号参照）、この場合にも、ネットの取り付け作業が面倒であるという問題点が考えられる。
【０００８】
そこで、本発明は、張設作業が容易であるとともに、ベランダが湾曲形状である場合にもその形状に対応させて有効に線材を張設可能な鳥類侵入防止具、及びそれを用いた鳥類侵入防止方法を提供することを課題としている。
【課題を解決するための手段】
【０００９】
本発明の鳥類侵入防止具は、マンション等のベランダ等の天井部に取り付けられる上側ガイドと、該上側ガイドの下面に装着された、線材貫通孔を有する複数個の支持部材と、該支持部材における前記貫通孔を貫通することにより、前記上側ガイドと略並行に前記支持部材に支持されるとともにその一方が固定された線材と、マンション等のベランダ等の手摺部等に取り付けられる下側ガイドと、該下側ガイドの上面に装着された複数個の係止部材と、を具備して、
前記線材における前記支持部材を連通している連通部分を一つ置きに下方に引き出すとともに、この引き出した連通部分を前記係止部材に係止することによって、前記上側ガイドと下側ガイド間に線材を張設可能にしたことを特徴としている。
【００１０】
また、本発明の鳥類侵入防止方法は、マンション等のベランダへの鳥類の侵入を防止する方法であって、複数個の線材貫通孔が備えられた支持部材を下面に有する上側ガイドと、前記支持部材における前記貫通孔を貫通することにより、前記上側ガイドと略並行に前記支持部材に支持されるとともにその一方が固定された線材と、複数個の係止部材を上面に有する下側ガイドと、を用いて、
前記上側ガイドをマンション等のベランダ等の天井部に取り付け、前記下側ガイドをマンション等のベランダ等の手摺部等に取り付け、前記線材における前記支持部材を連通している連通部分を一つ置きに下方に引き出すとともに、該引き出した連通部分を前記係止部材に係止し、これにより、前記上側ガイドと下側ガイド間に線材を張設可能にすることを特徴としている。
【発明の効果】
【００１１】
本発明では、複数個の線材貫通孔が備えられた支持部材を下面に有する上側ガイドと、前記支持部材における前記貫通孔を貫通することにより、前記上側ガイドと略並行に前記支持部材に支持されるとともにその一方が固定された線材と、複数個の係止部材を上面に有する下側ガイドとを具備しており、上側ガイドをマンション等のベランダ等の天井部に取り付けるとともに、前記下側ガイドをマンション等のベランダ等の手摺部等に取り付け、線材における前記支持部材を連通している連通部分を一つ置きに下方に引き出すとともに、この引き出した連通部分を前記係止部材に係止することにより、上側ガイドと下側ガイド間に線材を張設可能にしているため、すべてのフックに線材を係止しなければならない従来の鳥類侵入防止方法と異なり線材の調節作業が容易である。即ち、本発明では、各支持部材を連通している線材における連通部分を一つ置きに下方に引き出すとともに、この引き出した部分を、この部分で連通していた支持部材の下方に位置する係止部材に係止することのみで、上側ガイドと下側ガイド間に線材を張設することができるので、線材の張設作業が容易であり時間も少なくてすむ。
【００１２】
また、天井部と手摺部のそれぞれにガイドを取り付け、このガイド間に線材を張設する方法にしているために、上側ガイド及び下側ガイドのそれぞれに切り込みを入れることで上側ガイドと下側ガイドのそれぞれを湾曲自在にすることにより、ベランダが湾曲している場合でもこの湾曲に対応させて、ベランダにデッドスペースを残すこと無く線材を張設することが可能である。
【発明を実施するための最良の形態】
【００１３】
本発明の鳥類侵入防止では、上側ガイドを備えており、この上側ガイドの下面には間隔を置いて複数個の支持部材が装着され、この支持部材にはそれぞれ、線材が貫通する貫通孔が形成されている。
【００１４】
また、本発明では線材を具備しており、この線材は、支持部材の貫通孔を貫通するとともにその一端が最端部に位置する支持部材に固定され、これにより、上側ガイドとほぼ並行状態にして支持部材に支持されている。
【００１５】
次に、本発明では下側ガイドを有しており、この下側ガイドの上面には、複数個の係止部材が装着されている。
【００１６】
そして、この構成において、マンション等のベランダ等の天井部に上側ガイドを取り付け、この上側ガイドにおける支持部材の略下方に係止部材が位置するような配置で、マンション等のベランダ等の手摺部等に下側ガイドを取り付け、この状態において、線材における、前記支持部材間を連通している連通部分を一つ置きに下方に引き出すとともに、この引き出した連通部分を、連通部分で連通していた２個支持部材の下方部分にそれぞれ位置する係止部材に係止し、これにより、上側ガイドと下側ガイド間に線材を張設する。
【００１７】
ここで、線材の他方を、引き出し自在に線材収納部に収納するとよく、これにより、線材の他方側が邪魔になることを防止できる。
【００１８】
また、上側ガイド及び下側ガイドに、長手方向に沿って間隔を置いて複数個の切り込みを入れ、上側ガイド及び下側ガイドを湾曲自在にするとよく、これにより、ベランダ等が建物の外側に向けて湾曲している場合にも、この湾曲に対応させて線材を張設することができる。
【実施例１】
【００１９】
本発明の鳥類侵入防止具の実施例について図面を参照して説明すると、図１は、使用している状態における本実施例の鳥類侵入防止具の正面図であり、図において１が本実施例の鳥類侵入防止具である。
【００２０】
そして、図において２は上側ガイドであり、即ち、本実施例においては、マンション等のベランダ等の天井部に取り付けられる上側ガイドを備えており、この上側ガイド２は、任意の長さを有する長尺状としている。なお、上側ガイド２の素材に関しては、木製、金属製、樹脂製、ゴム製等の、いずれでもよい。
【００２１】
次に、本実施例において前記上側ガイド２には、平面視野における長手方向に直交する方向に向けて、等間隔を置いて、所定の長さとした複数個の切り込み７を、上側ガイド２の厚み方向全域に亘って形成しており、この切り込み７を形成することによって、上側ガイド２の長手方向の形状を、容易に湾曲自在としている。
【００２２】
但し、この切り込みは必ずしも必要なものではなく、上側ガイド２を湾曲自在な素材、例えば樹脂やゴム製とした場合には、切込みを形成しなくてもよい。
【００２３】
また、図３からも明らかなように、本実施例では、平面視野における長手方向に直交する両側面の双方に切り込みを形成し、これにより、長手方向の形状を長手方向に向いた左右いずれにも湾曲自在としているが、長手方向に直交する片側面にのみ切り込みを形成してもよい。
【００２４】
次に、上側ガイドの一側面（平面視野における下面）には、等間隔を置いて支持部材３が取り付けられており、この支持部材３は、貫通孔３０１を有する形状としている。即ち、本実施例においては、支持部材３として丸環を用いており、この丸環３を、支持部材２の下面に、等間隔をおいて取り付けている。なお、支持部材３間の間隔は特に限定されないが、３ｃｍ〜５ｃｍ程度が良い。
【００２５】
そして、この丸環３を貫通して丸環３に支持される形態で、前記上側ガイド２の下側には、上側ガイド２とほぼ並行状態にして線材４が配置されている。即ち、図１において４が線材であり、この線材４は、その他方が線材収納部８内に引き出し自在に収納されており、その先端部は、前記丸環３の貫通孔３０１を貫通しながら、上側ガイド２における反線材収納部側へ引き出され、反線材収納部側の端部に位置する丸環３に固定されている。そして、これにより、上側ガイド２の下方側には、上側ガイド２とほぼ並行状態にして線材４が支持されている。なお、線材４としては、紐、ワイヤー、糸、釣り糸（テグス）、ピアノ線等、線状であればいずれでもよい。また、前記支持部材２は必ずしも丸環を用いる必要はなく、線材２を支持可能なものであればいずれを用いてもよい。
【００２６】
一方、本実施例の鳥類侵入防止具１では、マンション等のベランダ等における手摺の上部に取り付けられる下側ガイドを有している。即ち、図１において５が下側ガイドであり、この下側ガイド５は、前記上側ガイド２とほぼ同様の形状寸法とされており、その素材も上側ガイド２と同様に特に限定はされない。また、上側ガイド２と同様に下側ガイド５も、平面視野における長手方向に直交する方向に向けて、等間隔を置いて、所定の長さとした複数個の切り込み７を厚み方向の全域に亘って形成しており、この切り込み７を形成することにより、上側ガイド２と同様に、その長手方向の形状を、容易に湾曲自在としている。
【００２７】
次に、下側ガイド５における一側面（平面視野における上面）には、複数個の係止部材６が、等間隔を置いて取り付けられている。そして、本実施例においてこの係止部材６としては、フックを用いている。また、このフック６の取り付け間隔は、前記支持部材３の取り付け間隔と略同間隔にしている。そしてこれにより、前記上側ガイド２の下側に支持している線材４を下方に引き出しつつ、フック６に係止し、これにより上側ガイド２と下側ガイド５間に線材４を張設可能としている。なお、係止部材６としては必ずしもフックを用いる必要はなく、線材２を係止可能であればいずれを用いてもよい。
【００２８】
次に、このように構成される本実施例の鳥類侵入防止具１を用いた鳥類侵入防止方法の実施例について図２を参照して説明すると、本方法ではまず、ベランダ等の天井１１に上側ガイド２を取り付けた後に、線材収納部８より線材４を引き出し、この線材４を、丸環３を貫通しつつ反線材収納部側端部に位置する支持部材３まで引き出した後に、その先端部を、反線材収納部側端部に位置する支持部材３に固定する。固定する方法は特に限定されないが、単に結び付けるのみもよい。また、必ずしも支持部材３に固定する必要は無く、上側ガイド２、あるいはベランダ等の天井部等に固定してもよい。
【００２９】
次に、ベランダ等の手摺１２の上面１３に、下側ガイド５を、フック６が天井側に向く配置で取り付ける。そして、このとき、それぞれの支持部材３の下方側にそれぞれのフック６が位置するようにしておく。
【００３０】
そして、この状態において、図２に矢印で示すように、線材４における、支持部材３を連通している連通部分４０１を、一つ置きに下方に引き出すとともに、この引き出した連通部分４０１を、連通部分４０１が連通していた支持部材３の下方部分にそれぞれ位置する２個のフック６に係止する。
【００３１】
そうすると、図１に示すように、上側ガイド２と下側ガイド６間に線材４を張設することができ、これにより、ハト等の鳥類がベランダに侵入することを防止することができる。なお、図３はこの状態における一部分を示した斜視図であり、線材４は、２個のフック６に係止された後に上方向に延出され、２個の支持部材３に支持された後に下方向に延出され、更に２個のフック６に係止された後に上方向に延出され、という経路を繰り返しながら上側ガイド２と下側ガイド５間を張設している。
【００３２】
従って、本実施例の鳥類侵入防止方法では、線材４におけるフック６に係止されている部分のみをフック６から外すことのみで線材４の張設を解除することができ、また、線材４における支持部材３を連通している連通部分４０１を一つ置きに下方に引き出しつつ、連通部分４０１で連通している支持部材３の下方に位置するフック６に係止することのみで線材４を張設することができるので、簡単な作業で線材の張設及びその解除を行うことが可能である。更に、張設を解除するときには、線材４におけるフック６に係止されている部分のみをフック６から外すとともに、線材４の基端側を引っ張ることのみで、線材４における垂れ下がっている部分を上方に上げて上側ガイド２と平行状態に戻すことができる。
【００３３】
また、上側ガイド２と下側ガイド５に切り込み７を入れることにより、図４に示すように上側ガイド及び下側ガイドを湾曲させることができるので、ベランダが湾曲形状である場合にもその形状に沿って上側ガイド２及び下側ガイド５を取り付けることができ、ベランダにデッドスペースが生じることがない。
【００３４】
なお、図５は前記線材収納部８の内部機構を説明するための図であり、図５に示す機構では、線材収納部８のケーシングに固定される内軸８０１とこの内軸８０１を収容するとともに外周側に線材４が巻き取られた外筒８０２とを有するとともに、この外筒８０２及び内軸８０１間には、一端が内軸８０１に係止され他端が外筒８０２に係止される巻きバネ８０３が備えられており、巻きバネ８０３は、外筒８０２を、線材４の巻き取り方向に付勢している。従って、この機構によれば、線材４は、引き出し自在であるとともに、常に外筒８０２に巻き取られる方向に付勢されており、そのために、線材４が弛んでしまうことを防止することができ、更に、張設の解除に際しては、線材４をフック６から外すのみで、線材４を自動的に巻き取ることにより、線材４における垂れ下がっている部分を上方に上げて上側ガイド２と平行状態に戻すことが可能である。但し、必ずしもこのような機構を採用する必要はなく、線材４の基端側を何らかの部材、例えばベランダの手摺等に、容易に着脱できるように結び付けておいてもよい。
【産業上の利用可能性】
【００３５】
本発明では、ベランダ等の天井部に取り付けられる上側ガイドに装着した支持部材間に支持された線材を下方に引き出しつつ下側ガイドに装着したフックに係止することのみで上側ガイドと下側ガイド間に線材を張設することができるので、鳥類のみならず、その他あらゆるもののベランダへの侵入防止に適用可能である。
【図面の簡単な説明】
【００３６】
【図１】本発明の鳥類侵入防止具の実施例の使用状態の正面図である。
【図２】本発明の鳥類侵入防止方法の実施例を説明するための図である。
【図３】線材を張設している状態における一部を示す斜視図である。
【図４】上側ガイド及び下側ガイドの作用を説明するための図である。
【図５】本発明の鳥類侵入防止具の実施例に用いる線材収納部内の機構を説明するための図である。
【図６】従来の鳥類侵入防止具を説明するための図である。
【符号の説明】
【００３７】
１    鳥類侵入防止具
２    上側ガイド
３    支持部材（丸環）
４    線材
４０１    線材における支持部材の連通部
５    下側ガイド
６    係止部材（フック）
７    切り込み
８    線材収納部
８０１    内軸
８０２    外筒
８０３    巻きバネ
１１    ベランダの天井部
１２    ベランダの手摺部
１３    ベランダの手摺の上面
【図１】
2006149243.tif 000003
【図２】
2006149243.tif 000004
【図３】
2006149243.tif 000005
【図４】
2006149243.tif 000006
【図５】
2006149243.tif 000007
【図６】
2006149243.tif 000008